(57)【要約】【課題】  輸送時や施工時などにおける他の部材との干渉を起こすことなく、予め工場で容易な作業で壁フレームみに取付けることができる基礎水切取付具を提供する。【解決手段】基礎水切取付具は、矩形の外装面材と、前記外装面材の屋内側に固定される矩形枠状の壁フレームと、を有する外壁パネルの、前記外装面材の下端よりも下方にはみ出して配置されている前記壁フレームの下弦材に予め取付けられ、基礎水切を保持する基礎水切取付具であって、前記下弦材に係止するフレーム係止部と、前記基礎水切を保持する水切保持部と、を備え、前記フレーム係止部は、弾性体により形成される上下の係止腕を有し、前記壁フレームの屋外側から前記上下の係止腕の間に前記下弦材を挟んで係止する。【選択図】図２
2016211209.tif 000002
【特許請求の範囲】
【請求項１】
矩形の外装面材と、前記外装面材の屋内側に固定される矩形枠状の壁フレームと、を有する外壁パネルの、前記外装面材の下端よりも下方にはみ出して配置されている前記壁フレームの下弦材に予め取付けられ、基礎水切を保持する基礎水切取付具であって、
前記下弦材に係止するフレーム係止部と、
前記基礎水切を保持する水切保持部と、を備え、
前記フレーム係止部は、弾性体により形成される上下の係止腕を有し、前記壁フレームの屋外側から前記上下の係止腕の間に前記下弦材を挟んで係止することを特徴とする基礎水切取付具。
【請求項２】
前記係止腕のうち、下側の係止腕は、当該下側の係止腕の先端側が、前記下弦材に設けられた係止孔に挿入され、当該下弦材の内部で前記下側の係止腕が弾性変形し、当該下側の係止腕の先端が前記下弦材の内側の面に押し付けられる方向に付勢されることを特徴とする請求項１に記載の基礎水切取付具。
【請求項３】
前記水切保持部は、前記フレーム係止部に対して水平方向にスライド可能なスライド機構を有し、
前記フレーム係止部が前記下弦材に係止した状態のときに、前記水切保持部は、屋外側から見て前記壁フレームの枠内に収まる枠内位置と、前記壁フレームから隣の壁フレーム側に突出する突出位置との間でスライド可能であることを特徴とする請求項１又は請求項２に記載の基礎水切取付具。
【請求項４】
前記スライド機構は前記水切保持部に形成される長孔であり、前記フレーム係止部に螺着したボルトが前記長孔をスライドすることにより、前記水切保持部が前記フレーム係止部に対してスライドするものであり、
前記長孔の両端には、下方に窪んで、前記ボルトのスライドを止めるスライド止部を有することを特徴とする請求項３に記載の基礎水切取付具。
【発明の詳細な説明】
【技術分野】
【０００１】
本発明は、予め工場にて壁フレームを外装面材に組付けたいわゆる複合外壁パネルに、基礎水切を固定するための基礎水切取付具に関する。
【背景技術】
【０００２】
従来より、外壁パネルの表面に沿って垂れ落ちてきた雨水が建物内部の躯体に伝わるのを抑えるために、外壁パネルの下端に垂れ落ちてきた水を建物の屋外方向に向かって切るための基礎水切が設けられている（例えば特許文献１等参照）。この基礎水切は、互いに隣接する左右の壁フレームの隙間に挿入されて固定される基礎水切取付具に固定されて、外壁パネルの下端側に配置されている。
【０００３】
また、外壁パネルに取付けられる水切の中には、予め工場で外壁パネルを生産する際に、外装面材の屋内側面に貼り付けられる外周フレームの下辺に水切片を一体成形することで、現場での水切片の取付施工を不要としたものが提案されている（特許文献２参照）。
【先行技術文献】
【特許文献】
【０００４】
【特許文献１】特開２０１０−１３３１７４号公報
【特許文献２】特開平１１−２４１４５４号公報
【発明の概要】
【発明が解決しようとする課題】
【０００５】
しかし、特許文献１のように基礎水切を固定する場合、基礎水切取付具は、左右の壁フレームの隙間に固定するので、工場で予め取り付けておくことができず、建物の建築現場での作業が増加する問題がある。
【０００６】
また、特許文献２のように、予め外周フレームの下辺に水切片そのものを一体成形して工場から出荷する場合、輸送の際に邪魔になるおそれや施工の際に工具などが干渉するおそれがある。
【０００７】
本発明は、輸送時や施工時などにおける他の部材との干渉を起こすことなく、予め工場で容易な作業で壁フレームに取付けることができる基礎水切取付具を提供することを目的とする。
【課題を解決するための手段】
【０００８】
本発明の基礎水切取付具は、矩形の外装面材と、前記外装面材の屋内側に固定される矩形枠状の壁フレームと、を有する外壁パネルの、前記外装面材の下端よりも下方にはみ出して配置されている前記壁フレームの下弦材に予め取付けられ、基礎水切を保持する基礎水切取付具であって、前記下弦材に係止するフレーム係止部と、前記基礎水切を保持する水切保持部と、を備え、前記フレーム係止部は、弾性体により形成される上下の係止腕を有し、前記壁フレームの屋外側から前記上下の係止腕の間に前記下弦材を挟んで係止することを特徴としている。
【０００９】
好ましくは、基礎水切取付具は、前記係止腕のうち、下側の係止腕は、当該下側の係止腕の先端側が、前記下弦材に設けられた係止孔に挿入され、当該下弦材の内部で前記下側の係止腕が弾性変形し、当該下側の係止腕の先端が前記下弦材の内側の面に押し付けられる方向に付勢されることを特徴としている。
【００１０】
より好ましくは、基礎水切取付具は、前記水切保持部は、前記フレーム係止部に対して水平方向にスライド可能なスライド機構を有し、前記フレーム係止部が前記下弦材に係止した状態のときに、前記水切保持部は、屋外側から見て前記壁フレームの枠内に収まる枠内位置と、前記壁フレームから隣の壁フレーム側に突出する突出位置との間でスライド可能であることを特徴としている。
【００１１】
さらに好ましくは、基礎水切取付具は、前記スライド機構は前記水切保持部に形成される長孔であり、前記フレーム係止部に螺着したボルトが前記長孔をスライドすることにより、前記水切保持部が前記フレーム係止部に対してスライドするものであり、前記長孔の両端には、下方に窪んで、前記ボルトのスライドを止めるスライド止部を有することを特徴としている。
【発明の効果】
【００１２】
本発明の基礎水切取付具によると、壁フレームの屋外側から上下の係止腕の間に壁フレームの下弦材を挟んで基礎水切取付具を係止することができる。壁フレームは、工場のベルトコンベアなどの搬送手段に屋外側を上に向けて搬送されているので、屋外側から上下の係止腕の間に壁フレームの下弦材を挟んで基礎水切取付具を係止することで、壁フレームを持ち上げることなく、搬送されている状態のまま基礎水切取付具を係止することができ、また作業者が楽な姿勢で作業することができる。
【００１３】
なお、ここで本発明において示される「上方」「下方」「水平方向」「屋外側」「屋内側」などの方向は、外壁パネルを建築現場で施工する際の方向をいう。外壁パネルを工場で製造する際や輸送中には、外壁パネルはそれぞれの工程において必要な姿勢をしているが、これらの姿勢の場合の方向を示すものではない。
【００１４】
好ましい形態の基礎水切取付具によると、係止腕のうち、下側の係止腕は、その先端側が、下弦材に設けられた係止孔に挿入され、下弦材の内部で下側の係止腕が弾性変形し、下側の係止腕の先端が下弦材の内側の面に押し付けられる方向に付勢されるので、下弦材に基礎水切取付具が緩みやガタツキなく固定することができる。
【００１５】
より好ましい形態の基礎水切取付具によると、水切保持部は、フレーム係止部に対して水平方向にスライド可能なスライド機構を有するので、工場で外壁パネルに基礎水切取付具を取付けるときには、水切保持部が壁フレームの枠内に収まる枠内位置に配置しておくことで、工場内の外壁パネル製造工程や工場から建設現場への輸送工程において、他の設備や輸送架台と干渉することを防止することができる。そして、建設現場では水切保持部をスライドさせて、壁フレームから隣接する壁フレーム側に突出させた突出位置にスライドさせることで、隣接する壁フレームとの間に水切保持部を配置することができ、壁フレームの間に基礎水切の固定部を設けれることができる。
【００１６】
さらなる好ましい形態の基礎水切取付具は、ボルトがスライド止部に嵌ることで、水切保持部とフレーム係止部とのスライドを確実に止めることができるので、外壁パネルの輸送中などに、水切保持部が意図せずにスライドして他の部材に衝突する事態を確実に防止できる。
【図面の簡単な説明】
【００１７】
【図１】基礎水切取付具の構成を示す斜視図。
【図２】基礎水切取付具の構成を示す側面図。
【図３】フレーム係止部の形状を説明する斜視図。
【図４】水切保持部の形状を説明する斜視図。
【図５】壁フレームの下弦材に基礎水切取付具を取付ける作業を説明する断面図。
【図６】（Ａ）は壁フレームに取付けた基礎水切取付具の水切保持部が枠内位置に配置される状態を示す図、（Ｂ）は壁フレームに取付けた基礎水切取付具の水切保持部が突出位置にスライドされる状態を示す図。
【図７】（Ａ）は基礎水切取付具の水切保持部が枠内位置に配置される状態を屋内側から見た図、（Ｂ）は基礎水切取付具の水切保持部が突出位置に配置される状態を屋内側から見た図。
【図８】外壁パネルを施工した後、基礎水切取付具の水切保持部を突出位置にスライドさせた状態を示す斜視図。
【図９】基礎水切取付具に基礎水切及び通気スペーサを固定させた状態を示す断面図。
【発明を実施するための形態】
【００１８】
以下、本発明に係る基礎水切取付具１の最良の実施形態について各図を参照しつつ説明する。なお、本実施形態において、「上」、「下」、「屋内側」、「屋外側」などの方向は、特に言及しない限り、建設現場で外壁パネル２を固定した状態での方向をいう。基礎水切取付具１は、図９に示すように、矩形の外装面材２ａと、外装面材２ａの屋内側に固定される矩形枠状の壁フレーム２ｂと、を有する外壁パネル２の壁フレーム２ｂの下弦材３に取付けられて、基礎水切４を保持する部材である。壁フレーム２ｂは、リップ溝形鋼を壁フレーム２ｂの枠の内側方向が開口するように溶接して矩形に形成されており、建築物の荷重を支える構造躯体の一部を構成している。壁フレーム２ｂは、外装面材２ａの屋内側の面の周縁に固定されており、壁フレーム２ｂの下弦材３は、外装面材２ａの下端よりも下方にはみ出して配置されている。壁フレーム２ｂの下弦材３は、上側が開口するリップ溝形鋼であり、壁フレーム２ｂの側縁から９０ｍｍ離れた位置における下弦材３の下面を構成するウエブ３ｃには係止孔３ｄが貫通している。
【００１９】
基礎水切取付具１は、図１及び図２に示すように、壁フレーム２ｂの下弦材３に係止するフレーム係止部５と、基礎水切４を保持する水切保持部６とを備えている。フレーム係止部５は、図２及び図３に示すように、下弦材３に係止するための上下の係止腕５３，５４と、上下の係止腕５３，５４の基端側を繋ぐ基端部５５と、を有する弾性材からなるクリップ部５１と、クリップ部５１の基端部５５を保持して水切保持部６とスライド可能に繋がるベース部５２とを有している。上側の係止腕５３は、下弦材３の上側のリップ３ａを抱え込むことができる、先端が下側に膨らむように湾曲した湾曲部５３ａを有する形状であり、基端部５５から上側の係止腕５３の湾曲部５３ａまでの長さはリップ３ａの幅とほぼ同じ長さである。
【００２０】
下側の係止腕５４は、下弦材３のウエブ３ｃに設けられた係止孔３ｄに挿入可能となるように、基端側よりも先端側が細く形成されている。下側の係止腕５４は、中間部で一旦上方に湾曲し、更に、折り返されるように屋外方向に湾曲して、側面視略Ｓ字状の中間湾曲部５４ｂを形成しており、先端が屋外方向の斜め上方を向く先端湾曲部５４ｃを形成している。下側の係止腕５４の基端部５５から中間湾曲部５４ｂまでの間は、側面視直線状に屋外方向に突出しており、その長さは、下弦材３のウエブ３ｃの幅方向の端から係止孔３ｄまでの長さと略等しくなるように形成されている。外力が加わっていない状態においては、上側の係止腕５３の基端側の位置から下側の係止腕５４の先端湾曲部５４ｃの下端までの間の上下方向の長さは、下弦材３のフランジ３ｂの長さよりも長く形成されており、フレーム係止部５を下弦材３に係止する際には下側の係止腕５４が弾性変形することで、下弦材３の係止孔３ｄに挿入されている。
【００２１】
クリップ部５１は、上下の係止腕５３，５４と基端部５５とが１枚の板バネ鋼により一体成形されている。クリップ部５１とベース部５２とは、互いを貫通するリベットをかしめて固定されている。なお、クリップ部５１の基端部５５とベース部５２の間は上部には若干の間隙が設けられており、捨て水切７の下端を保持できるように形成されている。ベース部５２は、鋼製の略矩形平板状で両側縁に、水切保持部６との間でのがたつきを抑制する切欠部５６が設けられている。そして切欠部５６の下には、屋内方向に伸びる突出片５７が設けられており、基礎水切取付具１を下弦材３に係止させたときに、この突出片５７の先端が下弦材３に当接して基礎水切取付具１の姿勢を安定させる。ベース部５２の幅方向中央の下部には、ボルト８が螺着するボルト孔５８が設けられている。
【００２２】
水切保持部６は、図４に示すように、金属板材を折り曲げて形成されており、略長方形状の水平に配置される平板状で、長辺が外壁と平行で、短辺が外壁に垂直に配置される上面部６１と、上面部６１の屋内側縁から垂れ下がり、スライド機構が設けられた屋内垂部６２と、上面部６１の屋外側縁から垂れ下がり、水切固定孔６４が形成された屋外垂部６３と、を有している。上面部６１の両側の短辺には、屋外側に開く鉤部６５が設けられており、通気スペーサ９を保持できるように構成されている。
【００２３】
屋内垂部６２は、上面部６１の長辺の一端から中間部までの間に垂れ下がっており、下端が折れ曲がって屋内側に突き出し、フレーム係止部５のベース部５２の下端に当接するように形成されている。スライド機構は、水平方向に長く貫通する長孔６６であり、両側の端部が下方に窪んで、この長孔６６をスライドするボルト８のスライドを止めるスライド止部６７が形成されている。また、長孔６６の長さ方向の中央における上側には、屋内方向に突出する傾き止め部６８が形成されており、この傾き止め部６８がベース部５２の切欠部５６にかみ合うことで、フレーム係止部５と水切保持部６とが互いにがたつくことを抑制できる。また、上面部６１の屋内側の長辺には、屋内垂部６２が設けられていない部分に、屋内側に突出する姿勢保持部６９が形成されており、この姿勢保持部６９の先端は、壁フレーム２ｂの下弦材３に当接することで、基礎水切取付具１と壁フレーム２ｂとの間のガタツキなどを抑制できる。
【００２４】
屋外垂部６３は、上面部６１の屋外側の長辺における端部から中間部までの間に垂れ下がっている。屋外垂部６３は、屋外側から見て屋内垂部６２に重ならない位置に配置されており、屋内垂部６２よりも短く垂れ下がっている。
【００２５】
以上のように構成される基礎水切取付具１は、工場で壁フレーム２ｂの下弦材３に固定される。基礎水切取付具１が壁フレーム２ｂの下弦材３に固定される際には、図５に示すように、外壁パネル２は、屋内側が下を向くように伏せられてベルトコンベアなどの搬送手段１０に載置されて搬送されている。したがって、図５では、外壁パネル２を建築現場で施工する際とは上下方向が異なるが、基礎水切取付具１及び外壁パネル２の各部の位置を示す際には、建築現場で外壁パネル２を施工する際の上下方向を各部の上下方向として示す。
【００２６】
下弦材３に取付けられる前の基礎水切取付具１は、図６（Ａ）及び図７（Ａ）に示すように、基礎水切取付具１の水切保持部６の長孔６６を挿通して、フレーム係止部５のベース部５２に設けられたボルト孔５８に螺着しているボルト８を緩め、ボルト８を長孔６６の水切固定孔６４に近い端部に位置するようにスライドさせた後、ボルト８を締めて、当該ボルト８を長孔６６の端部に固定されている。このとき、ボルト８が長孔６６のスライド止部６７に入るように、ボルト８を水切保持部６に対してやや下方に移動させる。そして、このとき、水切保持部６の傾き止め部６８がベース部５２の切欠部５６に嵌っており、水切保持部６とフレーム係止部５との間のガタツキが抑制される。
【００２７】
そして、図５（Ａ）に示すように、フレーム係止部５のクリップ部５１の下側の係止腕５４の先端を壁フレーム２ｂの下弦材３のウエブ３ｃに設けられた係止孔３ｄに挿入する。下側の係止腕５４の先端には先端湾曲部５４ｃが形成されているので、湾曲面が下弦材３に当るので下弦材３を傷つけることなく、挿入することができる。そして、下側の係止腕５４の中間湾曲部５４ｂを係止孔３ｄに当接させて、下弦材３の上側のリップ３ａにクリップ部５１の上側の係止腕５３が当接するように回転させる。図５（Ｂ）に示すように、上側の係止腕５３の先端に設けられた湾曲部５３ａはリップ３ａを抱え込むようにして係止する。そして、このとき、下側の係止腕５４の先端湾曲部５４ｃは下弦材３のウエブ３ｃの内側に当接し、下側の係止腕５４が弾性変形する。これにより、クリップ部５１が下弦材３に取付けられた状態のとき、下側の係止腕５４の先端湾曲部５４ｃは下弦材３のウエブ３ｃの内側に押し付けられる方向、すなわち下方に付勢されることになり、クリップ部５１が下弦材３を確実にガタツキ無く保持することができる。
【００２８】
なお、このとき、ベース部５２の突出片５７は下弦材３の下側のフランジ３ｂに当接し、水切保持部６の姿勢保持部６９が下弦材３の屋外側の面に当接することで、水切保持部６と壁フレーム２ｂとの間のガタツキなどを抑制している。また、図８に示すように、水切保持部６は、水切固定孔６４がフレーム係止部５に接近する位置にスライドしており、このとき、水切保持部６は、壁フレーム２ｂの枠内から突出していない。したがって、基礎水切取付具１を係止した外壁パネル２の工場内での搬送や工場から建築現場への輸送の際に、基礎水切取付具１が邪魔になることがない。
【００２９】
このように、本実施形態の基礎水切取付具１を用いると、壁フレーム２ｂは、工場のベルトコンベアなどの搬送手段１０の上に屋外側を上に向けて伏せられた状態で、クリップ部５１の上下の係止腕５３，５４の間に壁フレーム２ｂの下弦材３を挟み込むことで基礎水切取付具１を壁フレーム２ｂに係止するので、壁フレーム２ｂを持ち上げることなく、搬送されている状態のまま基礎水切取付具１を係止することができ、また、作業者が楽な姿勢で作業することができる。
【００３０】
そして、建築現場では、外壁パネル２を施工した後、ボルト８を緩める。ボルト８を緩めると、水切保持部６がやや下方に移動し、ボルト８が長孔６６のスライド止部６７から外れる。そして、図６（Ｂ）及び図７（Ｂ）に示すように、水切保持部６の水切固定孔６４がボルト８から遠ざかるように、水切保持部６をスライドさせる。このとき水切保持部６に設けられている長孔６６が水平することで、ボルト８が長孔６６に対して相対的に一端から水切固定孔６４から離れる側の他端に移動する。その後、水切保持部６をやや上方に持ち上げて、ボルト８が長孔６６の他端側のスライド止部６７に入れる。そして、ボルト８を締めて、水切保持部６とフレーム係止部５とを固定する。ボルト８がスライド止部６７に入っていることで、水切保持部６とフレーム係止部５とのスライドを確実に防止でき、予期しない不具合を防止できる。
【００３１】
以上のように、水切保持部６をスライドさせることにより、図８に示すように、互いに隣接する壁フレーム２ｂの間に水切固定孔６４を配置することができる。なお、隣接する壁フレーム２ｂは、平板状のものに限られず、例えば出隅用のものであってもよい。
【００３２】
そして、水切固定孔６４を壁フレーム２ｂの間に配置すると、次に、図９に示すように、基礎水切４を水切保持部６の上面部６１及び屋外垂部６３に当接させて、基礎水切４の上から水切固定孔６４を貫通するようにビス１１を打ち込んで基礎水切４を基礎水切取付具１に固定する。さらに、水切保持部６の鉤部６５に通気スペーサ９を挿入して固定し、基礎水切４の施工を完了する。
【００３３】
このように、本実施形態の基礎水切取付具１は壁フレーム２ｂの下弦材３に工場で固定されるものであり、壁フレーム２ｂを屋外側を上に向けた状態のまま下弦材３に取付けることができ、且つ、工場で壁フレーム２ｂを搬送するときや工場から建築現場に輸送するときに基礎水切取付具１が壁フレーム２ｂの枠内から突出しないので、搬送や輸送に用いる架台などと干渉することがない。しかも、建築現場では、水切保持部６をスライドさせることで、基礎水切取付具１が固定された壁フレーム２ｂと、当該壁フレーム２ｂに隣接する壁フレーム２ｂと、の間に水切固定孔６４を固定することができるので、基礎水切４を適切な位置で固定することができる。
【００３４】
なお、本発明の実施の形態は上述の形態に限ることなく、本発明の思想の範囲を逸脱しない範囲で適宜変更することができることは云うまでもない。
【産業上の利用可能性】
【００３５】
本発明に係る基礎水切取付具１は、例えば住宅の外壁パネル２に工場で予め取付ける基礎水切取付具１として、好適に用いることができる。
【符号の説明】
【００３６】
１      基礎水切取付具
２      外壁パネル
２ａ    外装面材
２ｂ    壁フレーム
３      下弦材
３ｄ    係止孔
４      基礎水切
５      フレーム係止部
６      水切保持部
５３    上側の係止腕
５４    下側の係止腕
６６    長孔（スライド機構）
６７    スライド止部
【図１】
2016211209.tif 000003
【図２】
2016211209.tif 000004
【図３】
2016211209.tif 000005
【図４】
2016211209.tif 000006
【図５】
2016211209.tif 000007
【図６】
2016211209.tif 000008
【図７】
2016211209.tif 000009
【図８】
2016211209.tif 000010
【図９】
2016211209.tif 000011